(57)【要約】 【課題】特別な操作を行うことなく、装置本体側の表示部で映像出力を行うか、外部出力装置側で映像出力を行うかの切り替えを容易に実現できるようにする。 【解決手段】携帯電話装置１は、クレードル２を介して外部モニタ（ＰＣ３／固定テレビ装置４）との接続有無を判別すると共に、装置本体側の表示部（携帯画面）から映像出力中であるか否かを判別し、各判別結果に応じて携帯画面からの映像出力を指示するか、外部モニタからの映像出力を指示するかを決定してその出力制御を行う。 【選択図】  図1
2008054069.tif 000002
【特許請求の範囲】
【請求項１】
映像を出力する外部出力装置に接続可能な携帯端末装置であって、
前記外部出力装置との接続有無を判別する第１の判別手段と、
装置本体側の表示部から映像出力中であるか否かを判別する第２の判別手段と、
前記第１及び第２の判別手段による判別結果に応じて前記表示部からの映像出力を指示するか前記外部出力装置からの映像出力を指示するかを決定してその出力制御を行う出力制御手段と、
を具備したことを特徴とする携帯端末装置。
【請求項２】
前記第１の判別手段によって外部出力装置に接続されていることが判別され、かつ、前記第２の判別手段によって映像出力中であることが判別された場合に、前記出力制御手段は、前記表示部からの映像出力に代わって前記外部出力装置での映像出力を指示してその出力制御を行う、
ようにしたことを特徴とする請求項1記載の携帯端末装置。
【請求項３】
前記表示部からの映像出力中において前記外部出力装置に接続された際に、前記出力制御手段は、前記表示部からの映像出力に代わって外部出力装置での映像出力に切り替える、
ようにしたことを特徴とする請求項２記載の携帯端末装置。
【請求項４】
前記外部出力装置に接続されている状態において映像出力機能が起動された際に、前記出力制御手段は、当該外部出力装置での映像出力を指示する、
ようにしたことを特徴とする請求項２記載の携帯端末装置。
【請求項５】
前記外部出力装置に接続されていると共に当該外部出力装置からの映像出力中において、前記外部出力装置との接続が解除された際に、前記出力制御手段は、当該外部出力装置からの映像出力に代わって前記表示部での映像出力に切り替える、
ようにしたことを特徴とする請求項１記載の携帯端末装置。
【請求項６】
映像を出力する外部出力装置に接続可能であるほか、表示部を備えた表示部筐体と操作部を備えた操作部筐体との配置状態を変えることで装置本体を複数のスタイルに変更可能な携帯端末装置であって、
前記外部出力装置との接続有無を判別する第１の判別手段と、
前記装置本体の現在のスタイルを判別する第２の判別手段と、
前記第１及び第２の判別手段による判別結果に応じて装置本体側の表示部からの映像出力を指示するか前記外部出力装置からの映像出力を指示するかを決定してその出力制御を行う出力制御手段と、
を具備したことを特徴とする携帯端末装置。
【請求項７】
前記出力制御手段は、外部出力装置に接続されていない場合に、現在のスタイルが横長表示スタイルであれば、前記表示部に横長映像を表示出力させ、縦長表示スタイルであれば、前記表示部に縦長映像を表示出力させる、
ようにしたことを特徴とする請求項６記載の携帯端末装置。
【請求項８】
前記表示部からの映像出力中において前記外部出力装置に接続された際に、前記出力制御手段は、その接続時のスタイルが横長表示スタイルであれば、前記表示部に横長映像を継続表示させ、縦長表示スタイルであれば、前記外部出力装置からの映像出力を指示する、
ようにしたことを特徴とする請求項６記載の携帯端末装置。
【請求項９】
前記外部出力装置に接続されている状態において映像出力機能が起動された際に、前記出力制御手段は、現在のスタイルに拘らず、前記外部出力装置からの映像出力を指示する、
ようにしたことを特徴とする請求項６記載の携帯端末装置。
【請求項１０】
前記外部出力装置に接続されている状態においてスタイルが変更された際に、前記出力制御手段は、現在のスタイルに応じて外部出力装置からの映像出力に代わって前記表示部での映像出力に切り替えたり、表示部からの映像出力に代わって外部出力装置での映像出力に切り替える、
ようにしたことを特徴とする請求項６記載の携帯端末装置。
【請求項１１】
前記外部出力装置との接続が解除された際に、そのときのスタイルが横長表示スタイルであれば、前記表示部に横長映像を継続表示させ、縦長表示スタイルであれば、前記外部出力装置からの映像出力に代わって前記表示部に縦長映像表示に切り替える、
ようにしたことを特徴とする請求項６記載の携帯端末装置。
【請求項１２】
映像を出力する外部出力装置に接続可能な携帯端末装置であって、
前記外部出力装置との接続有無を判別する判別手段と、
この判別手段によって外部出力装置に接続されていることが判別された際に、映像出力機能を起動させる起動手段と、
この起動手段によって映像出力機能が起動された際に、前記外部出力装置での映像出力を指示してその出力制御を行う出力制御手段と、
を具備したことを特徴とする携帯端末装置。
【請求項１３】
前記外部出力装置と接続されている状態において、前記出力制御手段は、当該外部出力装置の電源をオン／オフ制御する、
ようにしたことを特徴とする請求項１２記載の携帯端末装置。
【請求項１４】
装置本体側の電源電池を充電するほか、前記外部出力装置との間でデータ中継を行うクレードル装置に接続されたか否かに基づいて当該クレードル装置を介して外部出力装置との接続有無を判別する、
ようにしたことを特徴とする請求項1、６、１２何れかに記載の携帯端末装置。
【請求項１５】
コンピュータに対して、
映像を出力する外部出力装置との接続有無を判別する機能と、
装置本体側の表示部から映像出力中であるか否かを判別する機能と、
各判別結果に応じて前記表示部からの映像出力を指示するか前記外部出力装置からの映像出力を指示するかを決定してその出力制御を行う機能と、
を実現させるためのプログラム。
【請求項１６】
コンピュータに対して、
映像を出力する外部出力装置との接続有無を判別する機能と、
表示部を備えた表示部筐体と操作部を備えた操作部筐体との配置状態を変えることで装置本体を複数のスタイルに変更可能な場合に、この複数スタイルの中から現在のスタイルを判別する機能と、
前記各判別結果に応じて装置本体側の表示部からの映像出力を指示するか前記外部出力装置からの映像出力を指示するかを決定してその出力制御を行う機能と、
を実現させるためのプログラム。
【請求項１７】
コンピュータに対して、
映像を出力する外部出力装置との接続有無を判別する機能と、
この外部出力装置に接続されていることが判別された際に、映像出力機能を起動させる機能と、
映像出力機能が起動された際に、前記外部出力装置での映像出力を指示してその出力制御を行う機能と、
を実現させるためのプログラム。
【発明の詳細な説明】
【技術分野】
【０００１】
この発明は、映像を出力する外部出力装置に接続可能な携帯端末装置及びプログラムに関する。
【背景技術】
【０００２】
一般に、デジタルテレビ放送受信チューナ付き携帯電話装置あっては、携帯性という特質上、その画面サイズが制約されてしまい、折角、良質な画像を受信することができたとしても小さな画面で見るしかなかった。
そこで、従来では、携帯電話装置で表示される映像コンテンツを外部モニタに転送して拡大表示させるようにした技術が知られている（特許文献１参照）。
【特許文献１】特開平２００３−２４４２８９号公報
【発明の開示】
【発明が解決しようとする課題】
【０００３】
しかしながら、上述した先行技術にあっては、外部モニタに映像コンテンツを転送するためには、携帯電話装置側で一連の操作を行う必要があった。
ところで、携帯電話装置でテレビ放送を視聴しながら帰宅したような場合に、携帯電話装置での視聴から自宅の固定テレビ装置などでの視聴に切り替えるのが一般的であるが、例えば、野球、サッカーなどのように一瞬たりとも見逃せないようなテレビ番組を視聴している場合に、帰宅してからもそのまま携帯電話装置でその番組の視聴を続けることがある。すなわち、固定テレビの電源を入れたのち、チャンネルを調べながらその番組に合わせたり、ボリューム調整などの一連の操作を行っている間に、重要な場面を見逃してしまうことがあるため、小さな携帯画面であってもそのまま携帯電話装置での視聴を継続することがあった。
【０００４】
上述の場合とは逆に、携帯電話装置側で受信したテレビ放送を固定テレビ装置で拡大表示させて視聴しているときに、その場を一時的に離れたり、外出しなければならないような場合には、固定テレビから携帯画面にテレビ映像を切り替える必要があるが、その切り替えのために携帯電話装置側で一連の操作を行っている間に、重要な場面を見逃してしまうことがあった。
【０００５】
この発明の課題は、特別な操作を行うことなく、装置本体側の表示部で映像出力を行うか、外部出力装置側で映像出力を行うかの切り替えを容易に実現できるようにすることである。
【課題を解決するための手段】
【０００６】
請求項１記載の発明（第１の発明）は、映像を出力する外部出力装置に接続可能な携帯端末装置であって、前記外部出力装置との接続有無を判別する第１の判別手段と、装置本体側の表示部から映像出力中であるか否かを判別する第２の判別手段と、前記第１及び第２の判別手段による判別結果に応じて前記表示部からの映像出力を指示するか前記外部出力装置からの映像出力を指示するかを決定してその出力制御を行う出力制御手段とを具備したことを特徴とする。
更に、コンピュータに対して、上述した請求項１記載の発明に示した主要機能を実現させるためのプログラムを提供する（請求項１５記載の発明）。
【０００７】
なお、上述した請求項１記載の発明は次のようなものであってもよい。
前記第１の判別手段によって外部出力装置に接続されていることが判別され、かつ、前記第２の判別手段によって映像出力中であることが判別された場合に、前記出力制御手段は、前記表示部からの映像出力に代わって前記外部出力装置での映像出力を指示してその出力制御を行う（請求項２記載の発明）。
【０００８】
前記表示部からの映像出力中において前記外部出力装置に接続された際に、前記出力制御手段は、前記表示部からの映像出力に代わって外部出力装置での映像出力に切り替える（請求項３記載の発明）。
【０００９】
前記外部出力装置に接続されている状態において映像出力機能が起動された際に、前記出力制御手段は、当該外部出力装置での映像出力を指示する（請求項４記載の発明）。
【００１０】
前記外部出力装置に接続されていると共に当該外部出力装置からの映像出力中において、前記外部出力装置との接続が解除された際に、前記出力制御手段は、当該外部出力装置からの映像出力に代わって前記表示部での映像出力に切り替える（請求項５記載の発明）。
【００１１】
装置本体側の電源電池を充電するほか、前記外部出力装置との間でデータ中継を行うクレードル装置に接続されたか否かに基づいて当該クレードル装置を介して外部出力装置との接続有無を判別する（請求項１４記載の発明）。
【００１２】
請求項６記載の発明（第２の発明）は、映像を出力する外部出力装置に接続可能であるほか、表示部を備えた表示部筐体と操作部を備えた操作部筐体との配置状態を変えることで装置本体を複数のスタイルに変更可能な携帯端末装置であって、前記外部出力装置との接続有無を判別する第１の判別手段と、前記装置本体の現在のスタイルを判別する第２の判別手段と、前記第１及び第２の判別手段による判別結果に応じて装置本体側の表示部からの映像出力を指示するか前記外部出力装置からの映像出力を指示するかを決定してその出力制御を行う出力制御手段とを具備したことを特徴とする。
更に、コンピュータに対して、上述した請求項６記載の発明に示した主要機能を実現させるためのプログラムを提供する（請求項１６記載の発明）。
【００１３】
なお、上述した請求項６記載の発明は次のようなものであってもよい。
前記出力制御手段は、外部出力装置に接続されていない場合に、現在のスタイルが横長表示スタイルであれば、前記表示部に横長映像を表示出力させ、縦長表示スタイルであれば、前記表示部に縦長映像を表示出力させる（請求項７記載の発明）。
【００１４】
前記表示部からの映像出力中において前記外部出力装置に接続された際に、前記出力制御手段は、その接続時のスタイルが横長表示スタイルであれば、前記表示部に横長映像を継続表示させ、縦長表示スタイルであれば、前記外部出力装置からの映像出力を指示する（請求項８記載の発明）
【００１５】
。
前記外部出力装置に接続されている状態において映像出力機能が起動された際に、前記出力制御手段は、現在のスタイルに拘らず、前記外部出力装置からの映像出力を指示する（請求項９記載の発明）。
【００１６】
前記外部出力装置に接続されている状態においてスタイルが変更された際に、前記出力制御手段は、現在のスタイルに応じて外部出力装置からの映像出力に代わって前記表示部での映像出力に切り替えたり、表示部からの映像出力に代わって外部出力装置での映像出力に切り替える（請求項１０記載の発明）。
【００１７】
前記外部出力装置との接続が解除された際に、そのときのスタイルが横長表示スタイルであれば、前記表示部に横長映像を継続表示させ、縦長表示スタイルであれば、前記外部出力装置からの映像出力に代わって前記表示部に縦長映像表示に切り替える（請求項１１記載の発明）
その他、請求項６記載の発明は、上述した請求項１４記載の発明であってもよい。
【００１８】
請求項１２記載の発明（第３の発明）は、映像を出力する外部出力装置に接続可能な携帯端末装置であって、前記外部出力装置との接続有無を判別する判別手段と、この判別手段によって外部出力装置に接続されていることが判別された際に、映像出力機能を起動させる起動手段と、この起動手段によって映像出力機能が起動された際に、前記外部出力装置での映像出力を指示してその出力制御を行う出力制御手段とを具備したことを特徴とする。
更に、コンピュータに対して、上述した請求項１２記載の発明に示した主要機能を実現させるためのプログラムを提供する（請求項１７記載の発明）。
【００１９】
なお、上述した請求項１２記載の発明は次のようなものであってもよい。
前記外部出力装置と接続されている状態において、前記出力制御手段は、当該外部出力装置の電源をオン／オフ制御する（請求項１３記載の発明）。
その他、請求項１２記載の発明は、上述した請求項１４記載の発明であってもよい。
【発明の効果】
【００２０】
第１の発明は、外部出力装置との接続有無と映像出力中であるか否かに応じて装置本体側の表示部からの映像出力を指示するか、外部出力装置からの映像出力を指示するかを決定してその出力制御を行うことにより、特別な操作を行うことなく、装置本体側の表示部で映像出力を行うか、外部出力装置側で映像出力を行うかの切り替えを容易に実現することができる。
【００２１】
第２の発明は、外部出力装置との接続有無と現在のスタイルに応じて装置本体側の表示部からの映像出力を指示するか、外部出力装置からの映像出力を指示するかを決定してその出力制御を行うことにより、特別な操作を行うことなく、装置本体側の表示部で映像出力を行うか、外部出力装置側で映像出力を行うかの切り替えを容易に実現することができる。
【００２２】
第３の発明は、外部出力装置に接続された際に、映像出力機能を自動起動させて外部出力装置での映像出力を指示してその出力制御を行うことにより、特別な操作を行うことなく、外部出力装置側での映像出力を容易に実現することができる。
【発明を実施するための最良の形態】
【００２３】
（実施例１）
以下、図１〜図５を参照して本発明の第１実施例を説明する。
この実施例は、携帯端末装置として携帯電話装置に適用した場合を例示したもので、図１は、デジタルテレビ放送受信機能付きの携帯電話装置１をクレードル（充電台）２に載置（接続）した状態を示した図である。
この携帯電話装置１は、クレードル２に載置されている状態において、例えば、携帯電話装置１のテレビ放送受信機能によって受信したテレビ放送信号をクレードル２を介してＰＣ（パーソナルコンピュータ）３あるいは固定テレビ装置４に赤外線通信によって転送することにより、携帯電話装置１で視聴していたテレビ放送番組をＰＣ３あるいは固定テレビ装置４で引き続き視聴できるようにしている。なお、テレビ放送の視聴に限らず、例えば、記録メディアから外部供給されたり、インターネットからダウンロード受信した映画コンテンツなどもクレードル２を介してＰＣ３あるいは固定テレビ装置４に転送して視聴可能となっている。
【００２４】
クレードル２は、ＡＣ電源に接続されている状態において携帯電話装置１が載置された際に、携帯電話装置１の二次電池（図示せず）に対して充電電流を供給する充電機能のほか、携帯電話装置１からの映像信号を赤外線通信を介して外部モニタ（ＰＣ３／固定テレビ装置４）との間でデータ中継を行うことによって映像信号をＰＣ３／固定テレビ装置４に転送する映像転送機能などを備えたインテリジェント・クレードルである。
また、外部モニタであるＰＣ３あるいは固定テレビ装置４は、携帯電話装置１からクレードル２を介して転送されてきた映像信号を受信してその映像データを出力するようにしている。なお、ＰＣ３あるいは固定テレビ装置４は、クレードル２から赤外線通信によって送信されてきた携帯サイズの映像信号を受信すると、この映像信号を自己の現在の画面サイズに変更して表示出力するようにしている。
【００２５】
図２は、デジタルテレビ放送受信機能付きの携帯電話装置１の基本的な構成要素を示したブロック図である。
ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図４及び図５に示す動作手順に応じて本実施例を実現するためのプログラムが格納されている。記録メディア１３は、着脱自在な可搬型メモリで、各種のデータ・プログラムを外部供給するもので、例えば、スマートメディア、ＩＣカードなどによって構成されており、動画、音楽などのコンテンツを外部供給する場合にも記録メディア１３が使用される。メモリ１４は、ワーク領域を有する内部メモリであり、必要に応じてメモリ１４内の各種のデータは、記憶部１２にセーブされる。
【００２６】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信に符号化したのちに送受信部の送信側に与えられてアンテナから発信出力させる。一方、インターネット接続機能などによって電話通信部１５を介して受信取得したコンテンツは、表示制御部１９を介してＬＣＤ（液晶表示装置）などのメイン表示部２０に与えられて表示出力される。サブ表示部２１は現在日時、簡易なメッセージ、アイコンなどを表示する。
【００２７】
テレビ放送受信部２２は、携帯電話などの携帯受信機向けの地上波デジタルテレビ放送を受信するもので、テレビ映像及び音声情報以外にも電子番組表(ＥＰＧ)なども含めて受信可能である。テレビ放送受信部２２は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、メイン表示部２０から表示出力され、また、テレビ音声データは、サウンドスピーカ２３から出力される。なお、テレビ放送受信部２２からのテレビ映像のほか、記録メディア１３から外部供給された映像コンテンツあるいはインターネットを介してダウンロード受信した映像コンテンツなどを出力させるための映像出力処理を総称して、以下、映像アプリケーション処理と呼ぶものとする。
【００２８】
キー操作部２４は、ダイヤル入力、文字入力、コマンド入力などを行うもので、ＣＰＵ１１は、キー操作部２４からのキー入力信号に応じた処理を実行する。クレードル接続部２５は、クレードル２に接続された際に、クレードル２からの充電電流によって二次電池（図示せず）を充電するもので、ＣＰＵ１１は、クレードル接続部２５から出力される接続検出信号に基づいて装置本体がクレードル２に接続されているか否かを検出するようにしている。ここで、ＣＰＵ１１は、装置本体がクレードル２に接続されている状態において、上述の映像アプリケーション処理が起動されている状態の映像出力中であれば、一定の条件下で映像データをクレードル接続部２５からクレードル２に転送するようにしている。
【００２９】
スタイル検出センサ２６は、装置本体を構成する２つの筐体（表示部筐体、操作部筐体）の配置状態に応じて変化する各スタイルを検出可能なもので、例えば、磁気センサあるいはマイクロスイッチによって構成され、ＣＰＵ１１は、スタイル検出センサ２６からの各検出信号に基づいて装置本体の各スタイルを判別するようにしている。
図３（Ａ）は、装置本体がクレードル２に接続されている状態において、表示部２０を備えた表示部筐体２７とキー操作部２４を備えた操作部筐体２８を開いた状態（オープンスタイルあるいはノーマルスタイル）を示し、この「オープンスタイル」において表示部２０は縦長表示の状態となっている。
【００３０】
図３（Ｂ）は、この「オープンスタイル」の状態から操作部筐体２８に対して表示部筐体２７を回転させて縦長表示の状態から横長表示の状態に変更したスタイル、つまり、映像表示に適した状態の「ビュースタイル」を示している。このように装置本体は、操作部筐体２８に対して表示部筐体２７を回転させることによって縦長表示の状態（オープンスタイル）と横長表示の状態（ビュースタイル）に適宜変更可能な構成となっている。
ここで、装置本体がクレードル２に接続されている状態において、表示部２０が縦長表示の状態となっている「オープンスタイル」であれば、表示部２０から映像出力させるが、縦長表示の状態となっている「ビュースタイル」であれば、出力対象の映像信号をクレードル接続部２５からクレードル２に転送するようにしている。
【００３１】
この場合、ＣＰＵ１１は、映像アプリケーション処理の起動時にクレードル２を介して外部モニタに対して映像出力指令を与え、テレビ放送、映像コンテンツなどの映像信号を送信する動作を開始する。なお、映像アプリケーション処理の終了時には、クレードル２を介して外部モニタに対して出力終了指令を与える。なお、ＰＣ３あるいは固定テレビ装置４は、携帯サイズの映像信号を自己の現在の画面サイズに変更するほかに、画質調整を施して高品位画像に補正して表示するようにしている。
【００３２】
次にこの第１実施例における携帯電話装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３３】
図４及び図５は、電源投入に伴って実行開始される携帯電話装置の全体動作を示したフローチャートである。
先ず、ＣＰＵ１１は、電話通信部１５を作動させて現在位置を登録すると共に、所定の待受画像を読み出して表示出力させながら電話／メールの待受状態となる（ステップＡ１）。この状態において電話／メール着信有りを検出すると（ステップＡ２でＹＥＳ）、着信メロディなどを発生出力させる着信報知を行うと共に、電話あるいはメールの着信処理を実行する(ステップＡ３)。
【００３４】
また、待受状態において何らかのキー操作が行われると（ステップＡ４でＹＥＳ）、上述した映像アプリケーションを起動するキー操作が行われたかを調べ（ステップＡ５）、その他の操作であれば（ステップＡ５でＮＯ）、その操作に対応する処理として、例えば、電話発信処理、メール作成処理、メール送信処理などを実行したのち（ステップＡ６）、待受状態に戻るが（ステップＡ１）、映像アプリケーションの起動がユーザ操作で指示されたときには（ステップＡ５でＹＥＳ）、当該アプリケーションを起動させる（ステップＡ６）。
【００３５】
そして、クレードル接続部２５からの検出信号に基づいて装置本体がクレードル２に載置されているか（クレードル接続中か）を調べる（ステップＡ７）。いま、クレードル２に接続していない状態において映像アプリケーションの起動が指示された場合（ステップＡ７でＮＯ）、例えば、外出先でテレビを視聴するためにテレビオン操作が行われた場合には、図５のステップＡ１０に移り、スタイル検出センサ２６からの検出信号に基づいて現在のスタイルを判別し、映像表示に適した横長表示スタイル（ビュースタイル）であれば、表示部（携帯画面）２０から横長映像を表示出力させるが（ステップＡ１４）、「オープンスタイル」であれば（ステップＡ１０でＮＯ）、クレードル２に接続されているか否かを調べる（ステップＡ１１）。いま、クレードル２に接続されていない非接続状態であるので、携帯画面２０から縦長映像を表示出力させる（ステップＡ１３）。
【００３６】
この状態において、何らかのキー操作が行われたかを調べたり（ステップＡ１５）、クレードル接続部２５からの検出信号に変化があったか、つまり、クレードル２に接続されたか、クレードル２との接続が解除されたかを調べたり（ステップＡ１８）、スタイル検出センサ２６からの検出信号に変化があったか、つまり、装置本体のスタイルが変更されたかを調べる（ステップＡ１９）。いま、何らかのキー操作が行われた場合（ステップＡ１５でＹＥＳ）、それが映像アプリケーションの終了を指示する終了操作であれば（ステップＡ１６でＹＥＳ）、当該処理を終了して上述の待受状態に戻るが（図４のステップＡ１）、その他の操作であれば（ステップＡ１６でＮＯ）、その操作に対応する処理として、音声調整、チャンネル切り替え、早送り再生などの処理が行われる（ステップＡ１７）。
【００３７】
また、携帯画面２０での映像出力中においてクレードル接続部２５の検出信号が変化したか、つまり、装置本体がクレードル２に載置（接続）されたか、装置本体がクレードル２から抜き取られてその接続が解除されたかを調べ（ステップＡ１８）、クレードル接続の変化を検出した場合には、ステップＡ１０に戻る。いま、携帯画面２０での映像出力中にクレードル２に接続された場合（ステップＡ１８でＹＥＳ）、「ビュースタイル」の状態であれば（ステップＡ１０でＹＥＳ）、携帯画面２０での映像出力のままとなるが（ステップＡ１４）、「オープンスタイル」の状態でクレードル接続された場合には（ステップＡ１１でＮＯ）、クレードル２を介して外部モニタに映像出力指令を与え、映像信号の送信動作を開始する（ステップＡ１２）。このように携帯画面２０での映像出力中に「オープンスタイル」の状態でクレードル２に接続された場合には、携帯画面２０から外部モニタへの映像出力に切り替える。
【００３８】
また、装置本体をクレードル２から抜き取ってクレードル接続を解除した場合にも（ステップＡ１８でＹＥＳ）、上述のステップＡ１０に移る。その際、「ビュースタイル」で接続解除したときには、その解除後も携帯画面２０での映像出力のままとなるが、「オープンスタイル」接続解除したときには（ステップＡ１１でＮＯ）、外部モニタから携帯画面２０への映像出力に切り替えられる（ステップＡ１３）。この場合、携帯画面２０での縦長映像表示となる。
【００３９】
一方、スタイル検出センサ２６からの検出信号が変化した場合（ステップＡ１９でＹＥＳ）、それが「オープンスタイル」から「ビュースタイル」への変更であれば（ステップＡ１０でＹＥＳ）、クレードル２に接続されているか否かに拘らず、携帯画面２０から横長映像を表示出力させる（ステップＡ１４）。逆に、「ビュースタイル」から「オープンスタイル」に変更された場合（ステップＡ１０でＮＯ）、クレードル２に接続されていなければ（ステップＡ１１でＮＯ）、携帯画面２０から縦長映像を表示出力させる（ステップＡ１３）。また、「ビュースタイル」から「オープンスタイル」に変更された場合に、クレードル２に接続中であれば（ステップＡ１１でＹＥＳ）、携帯画面２０から外部モニタへの映像出力に切り替える（ステップＡ１２）。
【００４０】
他方、クレードル接続中に映像アプリケーションの起動が指示された場合には（図４のステップＡ７でＹＥＳ）、ステップＡ８に移り、クレードル２を介して外部モニタに映像出力指令を与え、映像信号の送信動作を開始して外部モニタから映像出力させる。この状態において、図５のフローに移り、キー操作有無（ステップＡ１５）、クレードル接続の変化有無（ステップＡ１８）、スタイルの変化有無を調べ（ステップＡ１９）、以下、上述と同様の動作が行われる。すなわち、クレードル接続中に映像アプリケーションを起動させた際には、現在のスタイルに拘らず、外部モニタからの映像出力となるが、その起動後においては、上述と同様の動作が行われる。
【００４１】
以上のように、この第１実施例においてＣＰＵ１１は、クレードル２を介して外部モニタ（ＰＣ３／固定テレビ装置４）との接続有無を判別すると共に、装置本体側の表示部（携帯画面）２０から映像出力中であるか否かを判別し、各判別結果に応じて携帯画面２０からの映像出力を指示するか外部モニタからの映像出力を指示するかを決定してその出力制御を行うことにより、特別な操作を行うことなく、携帯画面２０で映像出力を行うか、外部モニタで映像出力を行うかの切り替えを容易に実現することができる。
【００４２】
この場合、クレードル２に接続され、かつ、映像出力中であれば、ＣＰＵ１１は、携帯画面２０からの映像出力に代わって外部モニタでの映像出力に切り替えることができる。すなわち、携帯画面２０からの映像出力中においてクレードル２に接続された際に、ＣＰＵ１１は、携帯画面２０からの映像出力に代わって外部モニタでの映像出力に切り替えることができる。また、クレードル２に接続されている状態において、ユーザ操作によって映像アプリケーション処理が起動された際には、外部モニタでの映像出力を指示することができる。また、クレードル２に接続され、かつ、外部モニタからの映像出力中において、装置本体をクレードル２から抜き取ってクレードル２との接続が解除された際には、携帯画面２０での映像出力を指示することができる。
【００４３】
また、ＣＰＵ１１は、クレードル２を介して外部モニタ（ＰＣ３／固定テレビ装置４）との接続有無を判別すると共に、装置本体の現在のスタイルを判別し、各判別結果に応じて携帯画面２０からの映像出力を指示するか外部モニタからの映像出力を指示するかを決定してその出力制御を行うことにより、特別な操作を行うことなく、携帯画面２０で映像出力を行うか、外部モニタで映像出力を行うかの切り替えを容易に実現することができる。
【００４４】
この場合、クレードル２に接続されていない状態において、映像アプリケーション処理がユーザ操作で起動された際に、現在のスタイルが「ビュースタイル」であれば、携帯画面２０から横長映像を表示出力させ、「オープンスタイル」であれば、携帯画面２０から縦長映像を表示出力させる。このように携帯画面２０からの映像出力中において、クレードル２に接続した際にその接続時のスタイルが「ビュースタイル」のままであれば、携帯画面２０での横長映像が継続表示されるが、クレードル接続時のスタイルが「オープンスタイル」であれば、外部モニタから映像を表示出力させる。
【００４５】
一方、クレードル２に接続されている状態において、映像アプリケーション処理がユーザ起動された際には、現在のスタイルに拘らず、外部モニタから映像を表示出力させる。また、外部モニタに接続されている状態において、「ビュースタイル」から「オープンスタイル」に変更された際には、携帯画面２０からの映像出力に代わって外部モニタでの映像出力に切り替えられる。逆に、「オープンスタイル」から「ビュースタイル」に変更された際には、外部モニタからの映像出力に代わって携帯画面２０での映像出力に切り替えられる。また、クレードル２の接続が解除された際に、そのときのスタイルが「ビュースタイル」のままであれば、携帯画面２０から横長映像を表示出力させ、「オープンスタイル」であれば、外部モニタからの映像出力に代わって携帯画面２０からの縦長映像表示に切り替えられる。
（実施例２）
【００４６】
以下、この発明の第２実施例について図６及び図７を参照して説明する。
なお、上述した第１実施例においては、映像アプリケーション処理をユーザ操作によっての起動するようにしたが、この第２実施例においては、クレードル２を介して外部モニタ（ＰＣ３／固定テレビ装置４）に接続された際に、映像アプリケーション処理を自動起動させて外部モニタでの映像出力を指示するようにしたものである。また、携帯電話装置１は、クレードル２に接続されている状態において、外部モニタ（ＰＣ３／固定テレビ装置４）の電源をＯＮ／ＯＦＦ（オフ／オフ）制御させるようにしたものである。
ここで、両実施例において基本的あるいは名称的に同一のものは、同一符号を付して示し、その説明を省略すると共に、以下、第２実施例の特徴部分を中心に説明するものとする。
【００４７】
図６及び図７は、第２実施例において電源投入に伴って実行開始される携帯電話装置の全体動作を示したフローチャートである。
先ず、ＣＰＵ１１は、上述した図４の場合と同様に、現在位置を登録すると共に待受状態となる（ステップＢ１）。この待受状態で電話／メール着信を検出すると（ステップＢ２でＹＥＳ）、着信処理を実行する(ステップＢ３)。また、待受状態においてクレードル接続部２５からの検出信号に基づいてクレードル２に接続されているか否かを調べたり（ステップＢ４）、操作有無を調べ（ステップＢ８）、何らかのキー操作が行われると（ステップＢ７でＹＥＳ）、その操作に対応する処理として、例えば、電話発信処理、メール作成処理、メール送信処理などを実行したのち（ステップＢ９）、待受状態に戻る（ステップＢ１）。
【００４８】
いま、装置本体がクレードル２に載置（接続）された場合には（ステップＢ４でＹＥＳ）、クレードル接続に応答して自動的に起動される自立起動アプリケーションの有無を調べる（ステップＢ５）。ここで、自立起動アプリケーションが有れば、それは映像アプリケーションであるかを調べ（ステップＢ６）、その他のアプリケーションであれば、当該アプリケーションを起動してその処理に移るが（ステップＢ７）、映像アプリケーションであれば（ステップＢ６でＹＥＳ）、図７のフローに移り、当該映像アプリケーションを起動させる（ステップＢ１０）。
【００４９】
そして、スタイル検出センサ２６からの検出信号に基づいて現在のスタイルを判別し（ステップＢ１１）、映像表示に適した「ビュースタイル」であれば、携帯画面２０から横長映像を表示出力させる（ステップＢ１２）。また、「ビュースタイル」以外のスタイルであれば（ステップＢ１１でＮＯ）、外部モニタの電源ＯＮ指令をクレードル接続部２５、クレードル２を介して送信することによってＰＣ３あるいは固定テレビ装置４の電源をオンさせたのち（ステップＢ１３）、クレードル２を介して外部モニタに映像出力指令を与え、映像信号の送信動作を開始する（ステップＢ１４）。
【００５０】
この状態において、何らかのキーが操作されたかを調べたり（ステップＢ１５）、クレードル接続部２５からの検出信号に基づいてクレードル２との接続が解除されたかを調べたり（ステップＢ１８）、スタイル検出センサ２６からの検出信号に基づいて現在のスタイルが変更されたかを調べる（ステップＢ２２）。いま、何らかのキーが操作された場合に（ステップＢ１５でＹＥＳ）、それが映像アプリケーション処理の終了を指示する終了操作であれば（ステップＢ１６でＹＥＳ）、上述の待受状態に戻るが（図６のステップＢ１）、その他の操作であれば（ステップＢ１６でＮＯ）、操作対応処理として、音声調整、チャンネル切り替え、早送り再生などの処理が行われる（ステップＢ１７）。
【００５１】
また、クレードル２との接続が解除された場合には（ステップＢ１８でＹＥＳ）、外部モニタから映像出力中であるかを調べ（ステップＢ１９）、外部モニタから出力中であれば、外部モニタに代わって携帯画面２０からの映像出力に切り替える（ステップＢ２０）。そして、外部モニタに対して電源ＯＦＦ指令を与えてその電源をオフさせたのち（ステップＢ２１）、上述のステップＢ１５に戻る。
【００５２】
また、スタイルが変更された場合には（ステップＢ２２でＹＥＳ）、上述のステップＢ１１に戻り、「ビュースタイル」から他のスタイルに変更されたときには（ステップＢ１１でＮＯ）、携帯画面２０からの映像出力に代わって外部モニタでの映像出力に切り替えるが（ステップＢ１３、Ｂ１４）、「ビュースタイル」に変更されたときには（ステップＢ１１でＹＥＳ）、外部モニタに代わって携帯画面２０からの映像出力に切り替える（ステップＢ１２）。
【００５３】
以上のように、この第２実施例においてＣＰＵ１１は、クレードル２を介して外部モニタ（ＰＣ３／固定テレビ装置４）との接続有無を判別すると共に、外部モニタに接続された際に、映像アプリケーションを自動起動させ、外部モニタでの映像出力を指示してその出力制御を行うことにより、特別な操作を行うことなく、外部モニタでの映像出力を容易に実現することができる。この場合、携帯電話装置１は、クレードル２を介して外部モニタの電源をオン／オフ制御することにより、外部モニタに対する操作も不要となる。その他、この第２実施例においても上述した第１実施例と同様の効果を有する。
【００５４】
なお、上述した各実施例においては、操作部筐体２８に対して表示部筐体２７を回転させることによって縦長表示の状態と横長表示の状態に変更可能な表示縦横変更型の携帯電話装置１を示し、図３（Ａ）、（Ｂ）に示すように、表示部筐体２７と操作部筐体２８を開いたオープンスタイルでクレードル２に接続するようにしたが、例えば、図８に示すように、操作部筐体に対して表示部筐体を１８０°回転可能な２軸回転型の携帯電話装置を閉じた状態（クローズスタイル）でクレードルに接続するようにしてもよい。この場合、表示部筐体は、映像表示に適した横長表示の状態となる。その他、回転型あるいはスライド型などと呼ばれている携帯電話装置であってもよい。
【００５５】
また、上述した各実施例においては、クレードル２と外部モニタとの間における通信手段として、赤外線通信を行う場合を例示したが、例えば、近距離無線通信で行うようにしてもよく、勿論、クレードル２と外部モニタとをケーブル接続するようにしてもよい。
また、上述した各実施例においては、外部モニタとしてＰＣ３あるいは固定テレビ装置４を例示したが、投影スクリーンなどであってもよい。
その他、上述した各実施例においては、携帯電話装置に限らず、例えば、ＰＤＡ、電子カメラ、電子腕時計、音楽再生機などの携帯端末装置であっても同様に適用可能である。
【図面の簡単な説明】
【００５６】
【図１】携帯端末装置として適用したデジタルテレビ放送受信機能付きの携帯電話装置１をクレードル（充電台）２に載置（接続）した状態を示した図。
【図２】デジタルテレビ放送受信機能付きの携帯電話装置１の基本的な構成要素を示したブロック図。
【図３】（Ａ）は、装置本体がクレードル２に接続されている状態において、表示部筐体２７と操作部筐体２８を開いたオープンスタイルを示し、（Ｂ）は、このオープンスタイルの状態から表示部筐体２７を回転させて縦長表示の状態から横長表示の状態に変更した状態のビュースタイルを示した図。
【図４】電源投入に伴って実行開始される携帯電話装置１の全体動作を示したフローチャート。
【図５】図４に続く、フローチャート。
【図６】第２実施例において、電源投入に伴って実行開始される携帯電話装置１の全体動作を示したフローチャート。
【図７】図６に続く、フローチャート。
【図８】携帯電話装置を２軸回転型としてクレードル２に接続した状態の変形応用例を示した図。
【符号の説明】
【００５７】
１  携帯電話装置
２  クレードル
３  ＰＣ
４  固定テレビ装置
１１  ＣＰＵ
１２  記憶部
１５  電話通信部
１９  表示制御部
２０  メイン表示部
２２  テレビ放送受信部
２４  キー操作部
２５  クレードル接続部
２６  スタイル検出センサ
２７  表示部筐体
２８  操作部筐体
【図１】
2008054069.tif 000003
【図２】
2008054069.tif 000004
【図３】
2008054069.tif 000005
【図４】
2008054069.tif 000006
【図５】
2008054069.tif 000007
【図６】
2008054069.tif 000008
【図７】
2008054069.tif 000009
【図８】
2008054069.tif 000010